(57)【要約】【課題】変倍時の収差変動を小さくして良好な光学性能を得ることが可能で、ズーム比３倍程度、望遠端の焦点距離が２００ｍｍ程度の、防振機能を有する大口径望遠ズームレンズを提供する。【解決手段】最も物体側に、正の屈折力を有するレンズ群Ｌ１を有し、前記レンズ群Ｌ１の像側に負の屈折力を有するレンズ群Ｌｎを有し、前記レンズ群Ｌｎの像側に正の屈折力を有するレンズ群Ｌｐを有し、最も像側に正の屈折力を有するレンズ群Ｌｍを有し、開口絞りＳを前記レンズ群Ｌｍの近傍に配置し、広角端から望遠端への変倍に際して前記レンズ群Ｌ１とレンズ群Ｌｍは像面に対し固定であり、前記レンズ群Ｌｎ、前記レンズ群Ｌｐは、それぞれ隣接するレンズ群との光軸方向の間隔が変化することを特徴とする大口径ズームレンズ。【選択図】図１
2019191317.tif 000002
【特許請求の範囲】
【請求項１】
最も物体側に、正の屈折力を有するレンズ群Ｌ１を有し、
前記レンズ群Ｌ１の像側に負の屈折力を有するレンズ群Ｌｎを有し、
前記レンズ群Ｌｎの像側に正の屈折力を有するレンズ群Ｌｐを有し、
最も像側に正の屈折力を有するレンズ群Ｌｍを有し、
開口絞りＳを前記レンズ群Ｌｍの近傍に配置し、
広角端から望遠端への変倍に際して前記レンズ群Ｌ１とレンズ群Ｌｍは像面に対し固定であり、前記レンズ群Ｌｎ、前記レンズ群Ｌｐは、それぞれ隣接するレンズ群との光軸方向の間隔が変化することを特徴とする大口径ズームレンズ。
【請求項２】
前記レンズ群Ｌｍは、物体側から順に、正の屈折力を有するレンズ群ＬｍＡ、負の屈折力を有するレンズ群ＬｍＢ、正の屈折力を有するレンズ群ＬｍＣから構成され、
前記レンズ群ＬｍＢを光軸に対し略垂直方向に移動することで、像を光軸に対して垂直方向に移動させる
ことを特徴とする請求項１に記載の大口径ズームレンズ。
【請求項３】
以下の条件式を満足することを特徴とする請求項１乃至２のいずれか１項に記載の大口径ズームレンズ。
（１） ０．７＜ｆ１／ｆＴ＜１．５
ただし、
ｆ１：前記レンズ群Ｌ１の焦点距離
ｆＴ：全系の望遠端での焦点距離
【請求項４】
前記レンズ群Ｌｎは、少なくとも１枚の正レンズと、少なくとも３枚の負レンズで構成されることを特徴とする請求項１乃至３のいずれか１項に記載の大口径ズームレンズ。
【請求項５】
以下の条件式を満足することを特徴とする請求項１乃至４のいずれか１項に記載の大口径ズームレンズ。
（２）   Δν＞３９
Δν：νｎ−νｐ
ただし、
νｎ：前記レンズ群Ｌｎに使用されている負レンズのアッベ数の平均値
νｐ：前記レンズ群Ｌｎに使用されている正レンズのアッベ数の平均値
【請求項６】
以下の条件式を満足することを特徴とする請求項１乃至５のいずれか１項に記載の大口径ズームレンズ。
（３）   ４．０＜｜ｆＴ／ｆｎ｜＜８．０
ただし、
ｆｎ：前記レンズ群Ｌｎの焦点距離
【請求項７】
以下の条件式を満足することを特徴とする請求項１乃至６のいずれか１項に記載の大口径ズームレンズ。
（４） ΔＰｇＦ＿ｎｐ＞０．０１５
（５） ΔＰｇＦ＿ｎｎ＞０．００５
ただし、
ΔＰｇＦ＿ｎｐ：前記レンズ群Ｌｎに使用されている正レンズの異常分散性の平均値
ΔＰｇＦ＿ｎｎ：前記レンズ群Ｌｎに使用されている負レンズの異常分散性の平均値
ΔＰｇＦ＿ｎｐ＿ｉ＝ＰｇＦ＿ｎｐ＿ｉ―０．６４８３３＋０．００１８０×νｄ＿ｉ：前記レンズ群Ｌｎに使用されているｉ番目の正レンズのうち、ｇ線、Ｆ線間での異常分散性
ΔＰｇＦ＿ｎｎ＿ｊ＝ＰｇＦ＿ｎｐ＿ｊ―０．６４８３３＋０．００１８０×νｄ＿ｊ：前記レンズ群Ｌｎに使用されているｊ番目の負レンズのうち、ｇ線、Ｆ線間での異常分散性
ＰｇＦ＿ｎｐ＿ｉ：上記ｉ番目の正レンズのｇ線、Ｆ線間における部分分散比
ＰｇＦ＿ｎｐ＿ｊ：上記ｊ番目の負レンズのｇ線、Ｆ線間における部分分散比
【請求項８】
以下の条件式を満足することを特徴とする請求項１乃至７のいずれか１項に記載の大口径ズームレンズ。
（６） νｍＡｐ＞５８
ただし、
νｍＡｐ：前記レンズ群ＬｍＡに使用されている正レンズのアッベ数の平均値
【請求項９】
前記レンズ群Ｌ１と前記レンズ群Ｌｎの間に正の屈折力を有するレンズ群Ｌ２を有し、
前記レンズ群Ｌ２は光軸方向に移動することでフォーカシングを行うことを特徴とする請求項１乃至８のいずれか１項に記載の大口径ズームレンズ。
【請求項１０】
前記レンズ群Ｌ２は広角端から望遠端状態への変倍時に像側へ移動する
ことを特徴とする請求項１乃至９のいずれか１項に記載の大口径ズームレンズ。
【発明の詳細な説明】
【技術分野】
【０００１】
本発明は、デジタル一眼レフカメラ等に好適なズームレンズ及びズームレンズを備えた撮影装置に関する。
【背景技術】
【０００２】
近年、デジタルカメラの画素数の増加や画素の高密度化が進んでおり、高い光学性能を有するズームレンズが望まれている。
【０００３】
特に高い空間周波数まで解像するためには、色収差の低減が望まれている。しかし、一般にズーム比が大きい、あるいは大口径比の場合、変倍時の色収差の変動を抑えるのが困難になるという側面がある。
【先行技術文献】
【特許文献】
【０００４】
【特許文献１】特開２０００−１９３９８号公報
【特許文献２】特開平７−２９４８１６号公報
【発明の概要】
【発明が解決しようとする課題】
【０００５】
特許文献１では、所謂４群アフォーカルズームレンズにおいて、変倍時固定の第１レンズ群を前群と後群に分割し、後群を合焦レンズ群として光軸方向に移動する方式が開示されている。
【０００６】
しかし、上述した光学系では、合焦レンズ群の有効径が大きいため、合焦レンズ群の重量が大きくなりやすく、合焦動作のレスポンスが遅くなるという欠点があった。また、前群と後群の間隔は望遠端での移動量で決まるため、広角端ではデッドスペースとなる。そのため、光学系の全長が大きくなるという問題がある。
【０００７】
また、光学性能の面からも、前群と後群の間隔が離れていることで倍率色収差が発生しやすく、特に広角端での倍率色収差の補正が十分でない。
【０００８】
特許文献２では、変倍時の軸上色収差の補正が十分でない。
【０００９】
本発明は、変倍時の収差変動を小さくして良好な光学性能を得ることが可能で、ズーム比３倍程度、望遠端の焦点距離が２００ｍｍ程度の、防振機能を有する大口径望遠ズームレンズを提供することを目的とする。
【課題を解決するための手段】
【００１０】
前述の課題を解決するための第１の発明は、最も物体側に、正の屈折力を有するレンズ群Ｌ１を有し、前記レンズ群Ｌ１の像側に負の屈折力を有するレンズ群Ｌｎを有し、前記レンズ群Ｌｎの像側に正の屈折力を有するレンズ群Ｌｐを有し、最も像側に正の屈折力を有するレンズ群Ｌｍを有し、開口絞りＳを前記レンズ群Ｌｍの近傍に配置し、広角端から望遠端への変倍に際して前記レンズ群Ｌ１とレンズ群Ｌｍは像面に対し固定であり、前記レンズ群Ｌｎ、前記レンズ群Ｌｐは、それぞれ隣接するレンズ群との光軸方向の間隔が変化することを特徴とする大口径ズームレンズ。
【００１１】
第２の発明は、前記レンズ群Ｌｍは、物体側から順に、正の屈折力を有するレンズ群ＬｍＡ、負の屈折力を有するレンズ群ＬｍＢ、正の屈折力を有するレンズ群ＬｍＣから構成され、前記レンズ群ＬｍＢを光軸に対し略垂直方向に移動することで、像を光軸に対して垂直方向に移動させることを特徴とする第１の発明に記載された大口径ズームレンズ。
【００１２】
第３の発明は、さらに以下の条件式を満足することを特徴とする第１の発明または第２の発明のいずれかに記載された大口径ズームレンズ。
（１） ０．７＜ｆ１／ｆＴ＜１．５
ｆ１：前記レンズ群Ｌ１の焦点距離
ｆＴ：全系の望遠端での焦点距離
【００１３】
第４の発明はさらに、レンズ群Ｌｎは、少なくとも１枚の正レンズと、少なくとも３枚の負レンズで構成されることを特徴とする第１の発明乃至第３の発明のいずれかに記載の大口径ズームレンズ。
【００１４】
第５の発明は、さらに以下の条件式を満足することを特徴とする第１の発明乃至第４の発明のいずれかに記載の大口径ズームレンズ。
（２） Δν＞３９
Δν：νｎ−νｐ
ただし、
νｎ：前記レンズ群Ｌｎに使用されている負レンズのアッベ数の平均値
νｐ：前記レンズ群Ｌｎに使用されている正レンズのアッベ数の平均値
【００１５】
第６の発明は、さらに以下の条件式を満足することを特徴とする第１の発明乃至第５の発明のいずれかに記載の大口径ズームレンズ。
（３） ４．０＜｜ｆＴ／ｆｎ｜＜８．０
ｆｎ：前記レンズ群Ｌｎの焦点距離
【００１６】
第７の発明は、さらに以下の条件式を満足することを特徴とする第１の発明乃至第６の発明のいずれかに記載の大口径ズームレンズ。
（４） ΔＰｇＦ＿ｎｐ＞０．０１５
（５） ΔＰｇＦ＿ｎｎ＞０．００５
ΔＰｇＦ＿ｎｐ：前記レンズ群Ｌｎに使用されている正レンズの異常分散性の平均値
ΔＰｇＦ＿ｎｎ：前記レンズ群Ｌｎに使用されている負レンズの異常分散性の平均値
ΔＰｇＦ＿ｎｐ＿ｉ＝ＰｇＦ＿ｎｐ＿ｉ―０．６４８３３＋０．００１８０×νｄ＿ｉ：前記レンズ群Ｌｎに使用されているｉ番目の正レンズのうち、ｇ線、Ｆ線間での異常分散性
ΔＰｇＦ＿ｎｎ＿ｊ＝ＰｇＦ＿ｎｐ＿ｊ―０．６４８３３＋０．００１８０×νｄ＿ｊ：前記レンズ群Ｌｎに使用されているｊ番目の負レンズのうち、ｇ線、Ｆ線間での異常分散性
ＰｇＦ＿ｎｐ＿ｉ：上記ｉ番目の正レンズのｇ線、Ｆ線間における部分分散比
ＰｇＦ＿ｎｐ＿ｊ：上記ｊ番目の負レンズのｇ線、Ｆ線間における部分分散比
【００１７】
第８の発明は、さらに以下の条件式を満足することを特徴とする第１の発明乃至第７の発明のいずれかに記載の大口径ズームレンズ。
（６） νｍＡｐ＞５８
νｍＡｐ：前記レンズ群ＬｍＡに使用されている正レンズのアッベ数の平均値
【００１８】
第９の発明は、さらに前記レンズ群Ｌ１と前記レンズ群Ｌｎの間に正の屈折力を有するレンズ群Ｌ２を有し、前記レンズ群Ｌ２は光軸方向に移動することでフォーカシングを行うことを特徴とする第１の発明乃至第８のいずれかに記載の大口径ズームレンズ。
【００１９】
第１０の発明は、さらに前記レンズ群Ｌ２は広角端から望遠端状態への変倍時に像側へ移動することを特徴とする第１の発明乃至第９のいずれかに記載の大口径ズームレンズ。
【図面の簡単な説明】
【００２０】
【図１】本発明のズームレンズの実施例１に係る広角端のレンズ構成図である。
【図２】実施例１の広角端無限遠の縦収差図である。
【図３】実施例１のズーム中間域無限遠の縦収差図である。
【図４】実施例１の望遠端無限遠の縦収差図である。
【図５】実施例１の広角端無限遠の横収差図である。
【図６】実施例１のズーム中間域無限遠の横収差図である。
【図７】実施例１の望遠端無限遠の横収差図である。
【図８】実施例１の防振時に振れ角度０．３°を補正した際の広角端無限遠の横収差図である。
【図９】実施例１の防振時に振れ角度０．３°を補正した際のズーム中間域無限遠の横収差図である。
【図１０】実施例１の防振時に振れ角度０．３°を補正した際の望遠端無限遠の横収差図である。
【図１１】本発明のズームレンズの実施例２に係る広角端のレンズ構成図である。
【図１２】実施例２の広角端無限遠の縦収差図である。
【図１３】実施例２のズーム中間域無限遠の縦収差図である。
【図１４】実施例２の望遠端無限遠の縦収差図である。
【図１５】実施例２の広角端無限遠の横収差図である。
【図１６】実施例２のズーム中間域無限遠の横収差図である。
【図１７】実施例２の望遠端無限遠の横収差図である。
【図１８】実施例２の防振時に振れ角度０．３°を補正した際の広角端無限遠の横収差図である。
【図１９】実施例２の防振時に振れ角度０．３°を補正した際のズーム中間域無限遠の横収差図である。
【図２０】実施例２の防振時に振れ角度０．３°を補正した際の望遠端無限遠の横収差図である。
【図２１】本発明の実施例３に係る広角端のレンズ構成図である。
【図２２】実施例３の広角端無限遠の縦収差図である。
【図２３】実施例３のズーム中間域無限遠の縦収差図である。
【図２４】実施例３の望遠端無限遠の縦収差図である。
【図２５】実施例３の広角端無限遠の横収差図である。
【図２６】実施例３のズーム中間域無限遠の横収差図である。
【図２７】実施例３の望遠端無限遠の横収差図である。
【図２８】実施例３の防振時に振れ角度０．３°を補正した際の広角端無限遠の横収差図である。
【図２９】実施例３の防振時に振れ角度０．３°を補正した際のズーム中間域無限遠の横収差図である。
【図３０】実施例３の防振時に振れ角度０．３°を補正した際の望遠端無限遠の横収差図である。
【図３１】本発明のズームレンズの実施例４に係る広角端のレンズ構成図である。
【図３２】実施例４の広角端無限遠の縦収差図である。
【図３３】実施例４のズーム中間域無限遠の縦収差図である。
【図３４】実施例４の望遠端無限遠の縦収差図である。
【図３５】実施例４の広角端無限遠の横収差図である。
【図３６】実施例４のズーム中間域無限遠の横収差図である。
【図３７】実施例４の望遠端無限遠の横収差図である。
【図３８】実施例４の防振時に振れ角度０．３°を補正した際の広角端無限遠の横収差図である。
【図３９】実施例４の防振時に振れ角度０．３°を補正した際のズーム中間域無限遠の横収差図である。
【図４０】実施例４の防振時に振れ角度０．３°を補正した際の望遠端無限遠の横収差図である。
【発明を実施するための形態】
【００２１】
最も物体側に、正の屈折力を有するレンズ群Ｌ１を有し、
前記レンズ群Ｌ１の像側に負の屈折力を有するレンズ群Ｌｎを有し、
前記レンズ群Ｌｎの像側に正の屈折力を有するレンズ群Ｌｐを有し、
最も像側に正の屈折力を有するレンズ群Ｌｍを有し、
開口絞りＳを前記レンズ群Ｌｍの近傍に配置し、
広角端から望遠端への変倍に際して前記レンズ群Ｌ１とレンズ群Ｌｍは像面に対し固定であり、前記レンズ群Ｌｎ、前記レンズ群Ｌｐは、それぞれ隣接するレンズ群との光軸方向の間隔が変化することを特徴とする大口径ズームレンズ。
【００２２】
本発明の大口径ズームレンズは、さらに前記レンズ群Ｌｍは、物体側から順に、正の屈折力を有するレンズ群ＬｍＡ、負の屈折力を有するレンズ群ＬｍＢ、正の屈折力を有するレンズ群ＬｍＣから構成され、前記レンズ群ＬｍＢを光軸に対し略垂直方向に移動することで、像を光軸に対して垂直方向に移動させることを特徴としている。
【００２３】
レンズ群Ｌｍは変倍時に固定であるため、複雑な機構を要することなく防振機構を入れることができる。また、光線高が小さくなるレンズ群ＬｍＢを防振群とすることで、防振機構の小型化を図ることができる。
【００２４】
本発明の大口径ズームレンズは、さらに以下の条件式を満足することを特徴とする。
（１） ０．７＜ｆ１／ｆＴ＜１．５
ｆ１：前記レンズ群Ｌ１の焦点距離
ｆＴ：全系の望遠端での焦点距離
【００２５】
条件式（１）は、レンズ群Ｌ１と全系の望遠端での焦点距離の比を規定している。
【００２６】
条件式（１）の上限を超え、レンズ群Ｌ１の屈折力が弱くなると、レンズ群Ｌ１から射出する光線高が大きくなる。このため、レンズ群Ｌ１よりも像側に位置するレンズの径が大きくなり、結果としてレンズ径の巨大化を招き好ましくない。
【００２７】
条件式（１）の下限を超え、レンズ群Ｌ１の屈折力が強くなると、特に望遠端での球面収差やコマ収差の発生を抑えるのが困難となる。
【００２８】
なお、上述した条件式（１）の数値範囲については、その上限値を１．２、その下限値を０．９に規定することで、前述の効果をさらに確実にすることができる。
【００２９】
本発明の大口径ズームレンズはさらに、レンズ群Ｌｎは、少なくとも１枚の正レンズと、少なくとも３枚の負レンズで構成されることを特徴としている。
【００３０】
本発明において、レンズ群Ｌｎは変倍に際して光軸上を移動し、前後のレンズ群との間隔が変化する。従って変倍時の軸上色収差、倍率色収差の変動を抑制するには、正レンズと負レンズを用いて色消しする必要がある。
【００３１】
また、レンズ群Ｌｎは全体として負の屈折力を有する。従ってレンズ群Ｌｎに用いられる負レンズの枚数が多いほど各負レンズの屈折力を緩くすることができ、各負レンズで発生する諸収差を抑制することができる。本発明における大口径ズームレンズでは、レンズ群Ｌｎが２枚以下の負レンズで構成されている場合、諸収差の抑制が困難となる。
【００３２】
本発明の大口径ズームレンズは、さらに以下の条件式を満足することを特徴とする。
（２） Δν＞３９
Δν：νｎ−νｐ
ただし、
νｎ：前記レンズ群Ｌｎに使用されている負レンズのアッベ数の平均値
νｐ：前記レンズ群Ｌｎに使用されている正レンズのアッベ数の平均値
【００３３】
条件式（２）は、レンズ群Ｌｎに使用される負レンズの硝材のアッベ数と、正レンズの硝材のアッベ数の差を規定している。
【００３４】
一般にあるレンズ群において、負レンズに使われている硝材のアッベ数と、正レンズに使われている硝材のアッベ数の差が大きいほど、各々のレンズの屈折力を弱くできるため、その群の色消し条件としては良い。
【００３５】
条件式（２）の下限値を超え、レンズ群Ｌｎに使用されている正レンズのアッベ数の平均値が小さくなると、レンズ群Ｌｎで発生する倍率色収差を抑えるのが困難となり、特に広角端と望遠端での倍率色収差の変動を抑制するのが困難となる。また、望遠端での軸上色収差を抑制するのが困難となる。
【００３６】
なお、上述した条件式（２）の数値範囲については、その下限値をさらに４１に規定することで、前述の効果をさらに確実にすることができる。
【００３７】
本発明の大口径ズームレンズは、さらに以下の条件式を満足することを特徴とする。
（３） ４．０＜｜ｆＴ／ｆｎ｜＜８．０
ｆｎ：前記レンズ群Ｌｎの焦点距離
【００３８】
条件式（３）は、全系の望遠端での屈折力と、レンズ群Ｌｎの屈折力の比を規定している。
【００３９】
変倍時の収差変動を抑えるためには、変倍時に可動の群の屈折力を小さくすることが望ましい。本発明で示す大口径ズームレンズにおいては、変倍作用の殆どをレンズ群Ｌｎが担っており、従ってレンズ群Ｌｎの屈折力を小さくするのが変倍時の収差変動を抑えるのに効果的である。しかし、レンズ群Ｌｎの屈折力を小さくしすぎると、レンズ群Ｌｎの移動量が大きくなり、全系の全長が大きくなる。
【００４０】
条件式（３）の下限を超え、レンズ群Ｌｎの屈折力が小さくなると、全系の全長が大きくなりすぎる。
【００４１】
条件式（３）の上限を超え、レンズ群Ｌｎの屈折力が大きくなると、レンズ群Ｌｎで諸収差が十分に補正できなくなる。
【００４２】
なお、上述した条件式（３）の数値範囲については、その上限値をさらに６．６、下限値をさらに５．０に規定することで、前述の効果をさらに確実にすることができる。
【００４３】
本発明の大口径ズームレンズは、さらに以下の条件式を満足することを特徴とする。
（４） ΔＰｇＦ＿ｎｐ＞０．０１５
（５） ΔＰｇＦ＿ｎｎ＞０．００５
ΔＰｇＦ＿ｎｐ：前記レンズ群Ｌｎに使用されている正レンズの異常分散性の平均値
ΔＰｇＦ＿ｎｎ：前記レンズ群Ｌｎに使用されている負レンズの異常分散性の平均値
【００４４】
条件式（４）と条件式（５）はレンズ群Ｌｎに含まれる正レンズと負レンズの異常分散性について規定したものである。
【００４５】
変倍時にわたって高い空間周波数成分まで解像するには、バリエータ部での軸上色収差および倍率色収差の補正が求められる。１次スペクトルを補正するためには、条件式（２）に見られるようにバリエータ部で使用される正レンズと負レンズのアッベ数の差を大きくするとよい。しかし、現存する硝材では、負レンズに使用されるアッベ数の大きい低分散硝材は大きな異常分散性をもつ傾向があり、負レンズによる２次スペクトルの補正が過剰となる。そこで、正レンズにも異常分散性の大きな硝材を使用することで、バリエータ部での２次スペクトルを効果的に補正することが可能となる。
【００４６】
なお、上述した条件式（４）の数値範囲については、その下限値をさらに０．０２に規定することで、前述の効果をさらに確実にすることができる。
【００４７】
なお、上述した条件式（５）の数値範囲については、その下限値をさらに０．００８に規定することで、前述の効果をさらに確実にすることができる。
【００４８】
本発明の大口径ズームレンズは、さらに以下の条件式を満足することを特徴とする。
（６） νｍＡｐ＞５８
νｍＡｐ：前記レンズ群ＬｍＡに使用されている正レンズのアッベ数の平均値
【００４９】
条件式（６）はレンズ群ＬｍＡに含まれる正レンズのアッベ数の平均値を規定したものである。
【００５０】
本発明における大口径ズームレンズでは、広角端での軸上光線の有効光線径はリレーレンズ部の先頭付近において最大となる。従って広角端での軸上色収差を補正するためには、リレーレンズ部での色消しが必須となる。
【００５１】
条件式（６）の下限を超え、レンズ群ＬｍＡに使用されている正レンズのアッベ数の平均値が小さくなると、リレーレンズ部での色消しが不足となり、広角端での軸上色収差を十分に補正できなくなる。
【００５２】
なお、上述した条件式（６）の数値範囲については、その下限値をさらに６２に規定することで、前述の効果をさらに確実にすることができる。
【００５３】
本発明の大口径ズームレンズは、さらにレンズ群Ｌ１とレンズ群Ｌｎの間に正の屈折力を有するレンズ群Ｌ２を有し、レンズ群Ｌ２は光軸方向に移動することでフォーカシングを行うことを特徴としている。
【００５４】
前記レンズ群Ｌ２でフォーカシングを行うことで、フォーカシング時に全長が固定の所謂インナーフォーカス方式となり、前玉繰り出し方式に比べ、フォーカシングに係る機構の大型化を避けることが可能となる。また、前記レンズ群Ｌ２より後ろの群でフォーカシングを行う場合に比べて、同一物体距離に対してフォーカシングを行った際の変倍時の物点の位置変動を小さくできるため、カム形状の複雑化を避けることが可能となる。
【００５５】
本発明の大口径ズームレンズは、さらに前記レンズ群Ｌ２は広角端から望遠端状態への変倍時に像側へ移動することを特徴としている。
【００５６】
前記レンズ群Ｌ２と前記レンズ群Ｌ１との間隔が変倍時に変化することにより、特に非点収差を効果的に補正することが可能となる。また、正の屈折力を有する前記レンズ群Ｌ１に対し、望遠端状態で前記レンズ群Ｌ２が像側に移動することで、レンズ群Ｌ２の径を下げることが可能となる。これにより、フォーカス群である前記レンズ群Ｌ２の重量を小さくすることが可能となるため、迅速なフォーカシングが可能となる。
【００５７】
なお、以降に示す説明および実施例では、レンズ群Ｌｎをレンズ群Ｌ３、レンズ群Ｌｐをレンズ群Ｌ４、レンズ群Ｌｍをレンズ群Ｌ５とする５群構成として示したが、本発明における構成条件は６群、７群等の他の群構成にも適用可能である。具体的には、レンズ群Ｌｎの前に正または負のレンズ群を少なくとも１つ配置する構成や、レンズ群Ｌｐの前あるいは後ろに、正または負のレンズ群を少なくとも１つ配置する構成が挙げられる。
【００５８】
次に、本発明の防振機構を有する大口径望遠ズームレンズに係る実施例のレンズ構成について説明する。なお、以下の説明ではレンズ構成を物体側から像側の順番で記載する。
【００５９】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数、ΔＰｇＦはｇ、Ｆ線間における異常分散性を示している。
【００６０】
ＢＦはバックフォーカスを表している。
【００６１】
面番号に付した（絞り）は、その位置に開口絞りが位置していることを示している。平面または開口絞りに対する曲率半径には∞（無限大）を記入している。
【００６２】
［各種データ］には、無限遠合焦時における焦点距離等の値を示している。
【００６３】
［可変間隔データ］には、各撮影距離状態における可変間隔及びＢＦの値を示している。
【００６４】
［レンズ群データ］には、各レンズ群を構成する最も物体側のレンズ面番号及びレンズ群全体の合成焦点距離を示している。
【００６５】
尚、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同様の光学性能が得られるので、これに限られるものではない。
【実施例１】
【００６６】
実施例１の防振機能を有する大口径望遠ズームレンズは、物体側から順に、正の屈折力を有する第１レンズ群Ｌ１と、正の屈折力を有する第２レンズ群Ｌ２と、負の屈折力を有する第３レンズ群Ｌ３と、正の屈折力を有する第４レンズ群Ｌ４と、正の屈折力を有する第５レンズ群Ｌ５からなる。また、広角端から望遠端への変倍に際し、第１レンズ群Ｌ１と第５レンズ群Ｌ５は像面Ｉに対して固定であり、第１レンズ群Ｌ１と第２レンズ群Ｌ２の間隔は増大し、第２レンズ群Ｌ２と第３レンズ群Ｌ３の間隔は増大し、第３レンズ群Ｌ３と第４レンズ群Ｌ４の間隔は減少し、第４レンズ群Ｌ４と第５レンズ群Ｌ５の間隔は減少する。
【００６７】
無限遠物体から近距離物体へのフォーカシングの際、第２レンズ群Ｌ２が像面側から物体側へ移動する。
【００６８】
第１レンズ群Ｌ１は、物体側から順に、物体側に凸面を向けた負メニスカスレンズ、両凸レンズ、物体側に凸面を向けた正メニスカスレンズからなる。
【００６９】
第２レンズ群Ｌ２は、物体側から順に、物体側に凸面を向けた負メニスカスレンズ、物体側に凸面を向けた正メニスカスレンズからなる。
【００７０】
第３レンズ群Ｌ３は、物体側から順に、物体側に凸面を向けた負メニスカスレンズ、両凹レンズ、物体側に凸面を向けた正メニスカスレンズ、両凹レンズからなる。
【００７１】
第４レンズ群Ｌ４は、物体側から順に、両凸レンズ、物体側に凹面を向けた負メニスカスレンズからなる。
【００７２】
第５レンズ群Ｌ５は、物体側から順に、正の屈折力を有するレンズ群ＬｍＡと、負の屈折力を有するＬｍＢと、正の屈折力を有するレンズ群ＬｍＣからなり、さらに、レンズ群ＬｍＡは、物体側に凸面を向けた正メニスカスレンズ、物体側に凸面を向けた正メニスカスレンズ、両凹レンズ、両凸レンズ、物体側に凸面を向けた負メニスカスレンズと両凸レンズの接合レンズからなり、レンズ群ＬｍＢは、像側に凸面を向けた平凸レンズと両凹レンズの接合レンズ、両凹レンズからなり、レンズ群ＬｍＣは、両凸レンズ、物体側に凹面を向けた負メニスカスレンズ、両凸レンズからなる。また、レンズ群ＬｍＢを光軸に対して略垂直方向の成分を持つように移動させることにより像位置補正を行う。また、開口絞りＳは第５レンズ群Ｌ５の物体側に隣接して配置される。
【００７３】
続いて、以下に実施例1に係る大口径ズームレンズの諸元値を示す。
数値実施例1
単位：mm
[面データ]
面番号         r         d       nd       vd    ΔPgF
物面           ∞      (d0)
1       189.5296    2.0000   1.78590   43.93
2       100.9070    1.3304
3       103.0233   10.1269   1.43700   95.10
4      -327.2569    0.1500
5        81.0207    5.9581   1.43700   95.10
6       187.7830      (d6)
7        68.6936    1.6000   1.75520   27.53
8        53.0482    0.7682
9        58.6058    7.4703   1.59282   68.62
10      933.7963     (d10)
11      478.2971    1.0000   1.72916   54.67  -0.0047
12       33.2505    7.2491
13      -62.0546    1.0000   1.43700   95.10   0.0563
14      133.6832    1.1541
15       56.2816    2.7126   1.92286   20.88   0.0281
16      124.4795    3.9677
17      -57.3323    1.0000   1.43700   95.10   0.0563
18      323.9148     (d18)
19      179.0055    3.9667   1.87070   40.73
20      -93.9880    1.2422
21      -56.4251    1.0000   1.56732   42.84
22     -110.5373     (d22)
23（絞り）        ∞    1.5000
24       60.7197    2.8283   1.43700   95.10
25      140.0000    0.1500
26       59.5018    3.6822   1.43700   95.10
27      375.3464    2.3217
28      -86.9665    1.0000   1.72047   34.71
29      534.9858    7.1945
30       63.7871    7.6637   1.88300   40.80
31     -549.6994    0.3000
32       53.8860    1.0000   2.05090   26.94
33       26.7000   10.8148   1.43700   95.10
34      -81.7858    4.7579
35            ∞    2.0493   1.92286   20.88
36      -96.9155    0.9000   1.72916   54.67
37      125.9923    0.8691
38     -667.7643    0.9000   1.67300   38.26
39       41.4092    4.3002
40       85.0000    6.5016   1.49700   81.61
41     -156.1920    4.9073
42      -28.2901    1.2000   1.49700   81.61
43      -87.5663    0.1500
44      127.2076    4.6605   1.76385   48.49
45      -84.0983      (BF)
[各種データ]
ズーム比        2.70
広角        中間        望遠
焦点距離       71.80      135.00      194.00
Fナンバー        2.92        2.92        2.92
全画角2ω       34.18       17.89       12.47
像高Y         21.63       21.63       21.63
レンズ全長     184.21      184.21      184.21
[可変間隔データ]
広角        中間        望遠
d0               ∞          ∞          ∞
d6          15.4610     24.1610     36.9610
d10           2.0000     17.9607     20.8000
d18          35.6337     17.1395      1.5000
d22           7.7664      1.6000      1.6000
BF          57.2938     57.2638     57.2638
[レンズ群データ]
群          始面        焦点距離
L1           1           196.48
L2           7           158.00
L3           11          -29.99
L4           19          108.30
L5           24           94.77
LmA           24           59.63
LmB           35          -47.34
LmC           40           83.58
【実施例２】
【００７４】
実施例２の防振機能を有する大口径望遠ズームレンズは、物体側から順に、正の屈折力を有する第１レンズ群Ｌ１と、正の屈折力を有する第２レンズ群Ｌ２と、負の屈折力を有する第３レンズ群Ｌ３と、正の屈折力を有する第４レンズ群Ｌ４と、正の屈折力を有する第５レンズ群Ｌ５からなる。また、広角端から望遠端への変倍に際し、第１レンズ群Ｌ１と第５レンズ群Ｌ５は像面Ｉに対して固定であり、第１レンズ群Ｌ１と第２レンズ群Ｌ２の間隔は増大し、第２レンズ群Ｌ２と第３レンズ群Ｌ３の間隔は増大し、第３レンズ群Ｌ３と第４レンズ群Ｌ４の間隔は減少し、第４レンズ群Ｌ４と第５レンズ群Ｌ５の間隔は減少する。
【００７５】
無限遠物体から近距離物体へのフォーカシングの際、第２レンズ群Ｌ２が像面側から物体側へ移動する。
【００７６】
第１レンズ群Ｌ１は、物体側から順に、物体側に凸面を向けた負メニスカスレンズと両凸レンズの接合レンズ、物体側に凸面を向けた正メニスカスレンズからなる。
【００７７】
第２レンズ群Ｌ２は、物体側から順に、物体側に凸面を向けた負メニスカスレンズ、物体側に凸面を向けた正メニスカスレンズからなる。
【００７８】
第３レンズ群Ｌ３は、物体側から順に、両凹レンズ、両凹レンズと物体側に凸面を向けた正メニスカスレンズの接合レンズ、像側に凸面を向けた負メニスカスレンズからなる。
【００７９】
第４レンズ群Ｌ４は、物体側から順に、両凸レンズ、物体側に凹面を向けた負メニスカスレンズからなる。
【００８０】
第５レンズ群Ｌ５は、物体側から順に、正の屈折力を有するレンズ群ＬｍＡと、負の屈折力を有するＬｍＢと、正の屈折力を有するレンズ群ＬｍＣからなり、さらに、レンズ群ＬｍＡは、両凸レンズ、両凹レンズ、物体側に凸面を向けた負メニスカスレンズと物体側に凸面を向けた正メニスカスレンズの接合レンズ、両凸レンズからなり、レンズ群ＬｍＢは、像側に凸面を向けた正メニスカスレンズと両凹レンズの接合レンズ、物体側に凸面を向けた負メニスカスレンズからなり、レンズ群ＬｍＣは、両凸レンズ、物体側に凹面を向けた負メニスカスレンズ、両凸レンズからなる。また、レンズ群ＬｍＢを光軸に対して略垂直方向の成分を持つように移動させることにより像位置補正を行う。また、開口絞りＳは第５レンズ群Ｌ５の物体側に隣接して配置される。
【００８１】
続いて、以下に実施例２に係る大口径ズームレンズの諸元値を示す。
数値実施例2
単位：mm
[面データ]
面番号        r         d       nd       vd     ΔPgF
物面            ∞     (d0)
1        312.2849   2.0000  1.65412   39.68
2        119.9473   8.9573  1.49700   81.61
3       -419.1095   0.1500
4         90.2984   5.1996  1.43700   95.10
5        188.3153     (d5)
6         69.0356   1.8000  1.65412   39.68
7         47.4298   0.3000
8         48.6153  10.2329  1.49700   81.61
9       2464.0596     (d9)
10     -1575.8104   1.0000  1.87070   40.73  -0.0069
11        45.4865   5.6467
12       -74.7484   1.0000  1.43700   95.10   0.0563
13        56.7917   3.6120  1.92286   20.88   0.0281
14       388.2183   2.3072
15       -82.2309   1.0000  1.69680   55.46  -0.0061
16     -3553.6764    (d16)
17       149.6177   3.9897  1.88300   40.80
18      -114.6182   1.5487
19       -59.4411   1.0000  1.92286   20.88
20       -87.8362    (d20)
21（絞り）         ∞   1.0000
22        38.3642   8.1179  1.59282   68.62
23      -277.1048   0.1500
24      -468.0774   1.0000  1.58144   40.89
25        67.3469   7.1528
26        36.5877   1.0000  1.95375   32.32
27        23.3032   5.4400  1.43700   95.10
28        66.0144   1.6596
29        58.3023   4.2139  1.59282   68.62
30      -274.5190   4.1261
31      -123.9838   2.5836  1.92286   20.88
32       -43.0059   0.9000  1.69680   55.46
33        69.9686   0.7366
34       128.1337   0.9000  1.59270   35.45
35        43.6360   6.5372
36       204.4138   4.5442  1.72916   54.67
37       -78.2998   2.5183
38       -31.5330   1.0000  1.67270   32.17
39      -117.4278   0.1500
40       122.8667   4.6591  1.72916   54.67
41       -76.6758     (BF)
[各種データ]
ズーム比       2.70
広角     中間     望遠
焦点距離       71.80   100.00  194.00
Fナンバー        2.90     2.90    2.90
全画角2ω       34.72    24.51   12.47
像高Y         21.63    21.63   21.63
レンズ全長     172.79   172.79  172.79
[可変間隔データ]
広角      中間     望遠
d0             ∞        ∞        ∞
d5        13.8476   17.9186   38.8476
d9         2.1594   13.4677   23.3069
d16        41.0787   31.3414    1.5000
d20         7.5688    1.9269    1.0000
BF        58.9981   58.9362   58.9335
[レンズ群データ]
群        始面    焦点距離
L1          1       221.14
L2          6       173.47
L3         10       -34.17
L4         17       115.39
L5         22        96.71
LmA         22        61.15
LmB         31       -46.73
LmC         36        79.06
【実施例３】
【００８２】
実施例３の防振機能を有する大口径望遠ズームレンズは、物体側から順に、正の屈折力を有する第１レンズ群Ｌ１と、正の屈折力を有する第２レンズ群Ｌ２と、負の屈折力を有する第３レンズ群Ｌ３と、正の屈折力を有する第４レンズ群Ｌ４と、正の屈折力を有する第５レンズ群Ｌ５からなる。また、広角端から望遠端への変倍に際し、第１レンズ群Ｌ１と第５レンズ群Ｌ５は像面Ｉに対して固定であり、第１レンズ群Ｌ１と第２レンズ群Ｌ２の間隔は増大し、第２レンズ群Ｌ２と第３レンズ群Ｌ３の間隔は増大し、第３レンズ群Ｌ３と第４レンズ群Ｌ４の間隔は減少し、第４レンズ群Ｌ４と第５レンズ群Ｌ５の間隔は減少する。
【００８３】
無限遠物体から近距離物体へのフォーカシングの際、第２レンズ群Ｌ２が像面側から物体側へ移動する。
【００８４】
第１レンズ群Ｌ１は、物体側から順に、物体側に凸面を向けた負メニスカスレンズと両凸レンズの接合レンズ、物体側に凸面を向けた正メニスカスレンズからなる。
【００８５】
第２レンズ群Ｌ２は、物体側から順に、物体側に凸面を向けた負メニスカスレンズ、物体側に凸面を向けた正メニスカスレンズからなる。
【００８６】
第３レンズ群Ｌ３は、物体側から順に、両凹レンズ、両凹レンズと物体側に凸面を向けた正メニスカスレンズの接合レンズ、像側に凸面を向けた負メニスカスレンズからなる。
【００８７】
第４レンズ群Ｌ４は、物体側から順に、両凸レンズ、像側に凸面を向けた正メニスカスレンズと物体側に凹面を向けた負メニスカスレンズの接合レンズからなる。
【００８８】
第５レンズ群Ｌ５は、物体側から順に、正の屈折力を有するレンズ群ＬｍＡと、負の屈折力を有するＬｍＢと、正の屈折力を有するレンズ群ＬｍＣからなり、さらに、レンズ群ＬｍＡは、物体側に凸面を向けた正メニスカスレンズ、物体側に凸面を向けた負メニスカスレンズと両凸レンズの接合レンズからなり、レンズ群ＬｍＢは、両凸レンズと両凹レンズの接合レンズ、両凹レンズからなり、レンズ群ＬｍＣは、両凸レンズ、物体側に凹面を向けた負メニスカスレンズ、両凸レンズからなる。また、レンズ群ＬｍＢを光軸に対して略垂直方向の成分を持つように移動させることにより像位置補正を行う。また、開口絞りＳは第５レンズ群Ｌ５の物体側に隣接して配置される。
【００８９】
続いて、以下に実施例３に係る大口径ズームレンズの諸元値を示す。
数値実施例3
単位：mm
[面データ]
面番号        r        d       nd      vd    ΔPgF
物面           ∞    (d0)
1      202.2943  2.0000  1.88100  40.14
2      113.1253  9.4701  1.49700  81.61
3     -419.1310  0.1500
4       84.8561  5.6654  1.49700  81.61
5      161.9303    (d5)
6       77.0255  1.8111  1.72825  28.32
7       52.1219  0.4431
8       54.2397  9.9668  1.59349  67.00
9      980.7875    (d9)
10    -2590.8123  1.0000  1.83481  42.72  -0.0068
11       39.9692  6.8926
12      -70.1308  1.0000  1.43700  95.10   0.0563
13       51.6125  3.8605  1.92286  20.88   0.0281
14      268.0920  2.6860
15      -71.9006  1.0000  1.72916  54.67  -0.0047
16     -323.0803   (d16)
17      139.2065  4.2137  1.80420  46.50
18     -103.0599  0.2661
19      -98.6234  4.0847  1.49700  81.61
20      -41.9100  1.0000  1.83400  37.34
21     -111.5124   (d21)
22（絞り)        ∞  0.2500
23       36.4944  7.0113  1.59282  68.62
24      150.6937  8.6989
25       44.3231  1.7788  1.80610  33.27
26       20.1350  7.1588  1.49700  81.61
27     -266.5739  3.3855
28     1187.2117  4.1225  1.80518  25.46
29      -46.4199  1.0000  1.69680  55.46
30      121.1379  1.0864
31     -275.7174  1.0000  1.70154  41.15
32       42.5372  6.4990
33      213.0998  4.3311  1.72916  54.67
34      -82.5773  3.1964
35      -26.7573  1.0000  1.62004  36.30
36      -98.9205  0.1500
37      159.7845  5.0625  1.77250  49.62
38      -57.1804    (BF)
[各種データ]
ズーム比       2.70
広角     中間     望遠
焦点距離      71.80   100.00   194.00
Fナンバー      2.90     2.90     2.90
全画角2ω     34.55    24.39    12.47
像高Y       21.63    21.63    21.63
レンズ全     172.75   172.75   172.75
[可変間隔データ]
広角      中間      望遠
d0            ∞       ∞       ∞
d5       12.8712  15.6339  36.3784
d9        2.2244  12.8166  21.0172
d16      38.3804  29.3198   1.5000
d21       8.0298   3.7355   2.6100
BF       59.0135  58.9299  58.9262
[レンズ群データ]
群       始面    焦点距離
L1         1      200.07
L2         6      169.49
L3        10      -31.85
L4        17      125.33
L5        23       89.33
LmA       23       59.99
LmB       28      -45.86
LmC       33       73.10
【実施例４】
【００９０】
実施例４の防振機能を有する大口径望遠ズームレンズは、物体側から順に、正の屈折力を有する第１レンズ群Ｌ１と、正の屈折力を有する第２レンズ群Ｌ２と、負の屈折力を有する第３レンズ群Ｌ３と、正の屈折力を有する第４レンズ群Ｌ４と、正の屈折力を有する第５レンズ群Ｌ５からなる。また、広角端から望遠端への変倍に際し、第１レンズ群Ｌ１と第５レンズ群Ｌ５は像面Ｉに対して固定であり、第１レンズ群Ｌ１と第２レンズ群Ｌ２の間隔は増大し、第２レンズ群Ｌ２と第３レンズ群Ｌ３の間隔は増大し、第３レンズ群Ｌ３と第４レンズ群Ｌ４の間隔は減少し、第４レンズ群Ｌ４と第５レンズ群Ｌ５の間隔は減少する。
【００９１】
無限遠物体から近距離物体へのフォーカシングの際、第２レンズ群Ｌ２が像面側から物体側へ移動する。
【００９２】
第１レンズ群Ｌ１は、物体側から順に、物体側に凸面を向けた負メニスカスレンズと両凸レンズの接合レンズ、物体側に凸面を向けた正メニスカスレンズからなる。
【００９３】
第２レンズ群Ｌ２は、物体側から順に、物体側に凸面を向けた負メニスカスレンズ、物体側に凸面を向けた正メニスカスレンズからなる。
【００９４】
第３レンズ群Ｌ３は、物体側から順に、物体側に凸面を向けた負メニスカスレンズ、両凹レンズ、物体側に凸面を向けた正メニスカスレンズ、像側に凸面を向けた負メニスカスレンズからなる。
【００９５】
第４レンズ群Ｌ４は、物体側から順に、両凸レンズ、物体側に凹面を向けた負メニスカスレンズの接合レンズからなる。
【００９６】
第５レンズ群Ｌ５は、物体側から順に、正の屈折力を有するレンズ群ＬｍＡと、負の屈折力を有するＬｍＢと、正の屈折力を有するレンズ群ＬｍＣからなり、さらに、レンズ群ＬｍＡは、両凸レンズ、物体側に凸面を向けた負メニスカスレンズと両凸レンズの接合レンズからなり、レンズ群ＬｍＢは、両凸レンズと両凹レンズの接合レンズ、両凹レンズからなり、レンズ群ＬｍＣは、両凸レンズ、物体側に凹面を向けた負メニスカスレンズ、両凸レンズからなる。また、レンズ群ＬｍＢを光軸に対して略垂直方向の成分を持つように移動させることにより像位置補正を行う。また、開口絞りＳは第５レンズ群Ｌ５の物体側に隣接して配置される。
【００９７】
続いて、以下に実施例４に係る大口径ズームレンズの諸元値を示す。
数値実施例4
単位：mm
[面データ]
面番号         r         d        nd       vd     ΔPgF
物面            ∞      (d0)
1       176.0979    2.0000  1.88100    40.14
2       103.3186    9.5208  1.49700    81.61
3      -629.6468    0.1500
4        89.8494    5.6212  1.49700    81.61
5       181.2086      (d5)
6        78.6105    2.2000  1.72825    28.32
7        52.3109    0.4248
8        54.1812   10.1599  1.59349    67.00
9      1273.5047      (d9)
10      1446.3593    1.0000  1.80420    46.50  -0.0075
11        34.7040    6.7534
12       -60.5158    1.0000  1.43700    95.10   0.0563
13        90.4310    0.1500
14        58.8459    3.7448  1.94595    17.98   0.0385
15       301.3317    2.3998
16       -80.3629    1.0000  1.67300    38.26  -0.0038
17     -1835.0844     (d17)
18       129.9393    4.1578  1.77250    49.62
19      -109.8064    1.8247
20       -51.7704    1.0000  1.84666    23.78
21       -91.1453     (d21)
22（絞り）         ∞    0.2500
23        45.0935    7.1606  1.59282    68.62
24     -1809.7899    9.2749
25        42.4869    2.0000  1.80610    33.27
26        22.2000    6.7447  1.49700    81.61
27       831.9650    3.0000
28        77.4303    3.8487  1.85478    24.80
29      -136.8808    1.0000  1.69680    55.46
30        43.2331    2.4117
31      -168.1360    1.0000  1.70154    41.15
32        48.5225    5.7866
33       108.6823    5.4795  1.49700    81.61
34       -55.9763    2.3379
35       -28.3755    1.0000  1.68893    31.16
36       -45.8970    0.8032
37        93.4507    4.0700  1.77250    49.62
38      -269.3825      (BF)
[各種データ]
ズーム比        2.70
広角      中間     望遠
焦点距離       71.80    100.00  194.00
Fナンバー       2.90      2.90    2.90
全画角2ω      34.20     24.17   12.47
像高Y        21.63     21.63   21.63
レンズ全長     171.88    171.88  171.88
[可変間隔データ]
広角       中間     望遠
d0             ∞        ∞       ∞
d5        12.9969   12.6214  36.6370
d9         3.2015   14.8029  21.8614
d17       36.4867   27.3941   1.5000
d21        9.9234    7.7901   2.6100
BF        59.0130   58.9282  58.9277
[レンズ群データ]
群        始面     焦点距離
L1          1        203.58
L2          6        169.21
L3         10        -31.67
L4         18        164.04
L5         23         76.03
LmA        23         56.81
LmB        28        -45.97
LmC        33         66.19
【００９８】
以下に上記各実施例に対応する条件式対応値を示す。
実施例             1       2       3       4
０．７＜f1/fT＜１．５     1.01    1.14    1.03    1.05
Δν＞３９         60.74   42.88   43.28   41.97
４．０＜｜fT/fn｜＜８．０   6.47    5.68    6.09    6.13
ΔPgF_np＞０．０１５    0.028   0.028   0.028   0.038
ΔPgF_nn＞０．００５    0.036   0.014   0.015   0.015
νmAp＞５８         81.53   77.45   75.12   75.12
【符号の説明】
【００９９】
Ｌ１      第１レンズ群
Ｌ２      第２レンズ群
Ｌ３      第３レンズ群
Ｌ４      第４レンズ群
Ｌ５      第５レンズ群
Ｓ        開口絞り
Ｉ        像面
【図１】
2019191317.tif 000003
【図２】
2019191317.tif 000004
【図３】
2019191317.tif 000005
【図４】
2019191317.tif 000006
【図５】
2019191317.tif 000007
【図６】
2019191317.tif 000008
【図７】
2019191317.tif 000009
【図８】
2019191317.tif 000010
【図９】
2019191317.tif 000011
【図１０】
2019191317.tif 000012
【図１１】
2019191317.tif 000013
【図１２】
2019191317.tif 000014
【図１３】
2019191317.tif 000015
【図１４】
2019191317.tif 000016
【図１５】
2019191317.tif 000017
【図１６】
2019191317.tif 000018
【図１７】
2019191317.tif 000019
【図１８】
2019191317.tif 000020
【図１９】
2019191317.tif 000021
【図２０】
2019191317.tif 000022
【図２１】
2019191317.tif 000023
【図２２】
2019191317.tif 000024
【図２３】
2019191317.tif 000025
【図２４】
2019191317.tif 000026
【図２５】
2019191317.tif 000027
【図２６】
2019191317.tif 000028
【図２７】
2019191317.tif 000029
【図２８】
2019191317.tif 000030
【図２９】
2019191317.tif 000031
【図３０】
2019191317.tif 000032
【図３１】
2019191317.tif 000033
【図３２】
2019191317.tif 000034
【図３３】
2019191317.tif 000035
【図３４】
2019191317.tif 000036
【図３５】
2019191317.tif 000037
【図３６】
2019191317.tif 000038
【図３７】
2019191317.tif 000039
【図３８】
2019191317.tif 000040
【図３９】
2019191317.tif 000041
【図４０】
2019191317.tif 000042